(57)【要約】【課題】浴槽の周りの意匠性が損なわれることを抑えることができる浴室ユニットを提供することを目的とする。【解決手段】洗い場と、前記洗い場に隣接して設置される浴槽と、前記洗い場および前記浴槽の周囲に設置された複数の壁パネルと、を備え、前記洗い場は、前記浴槽の側を除く周辺部に設けられ前記壁パネルを載置する第１の壁載せ部を有し、前記浴槽は、前記洗い場からみたときの左右の少なくともいずれかの端部が中央部よりも高いリム部と、前記リム部の前記洗い場の側を除く周辺部から前記中央部のリム部よりも下方まで延在した側壁と、前記側壁に設けられ前記壁パネルを載置する第２の壁載せ部と、を有し、前記複数の壁パネルは、前記第１の壁載せ部と前記第２の壁載せ部とにわたって載置されることを特徴とする浴室ユニットが提供される。【選択図】図３
2013248153.tif 000002
【特許請求の範囲】
【請求項１】
洗い場と、
前記洗い場に隣接して設置される浴槽と、
前記洗い場および前記浴槽の周囲に設置される複数の壁パネルと、
を備え、
前記洗い場は、前記浴槽の側を除く周辺部に設けられ前記壁パネルを載置する第１の壁載せ部を有し、
前記浴槽は、前記洗い場からみたときの左右の少なくともいずれかの端部が中央部よりも高いリム部と、前記リム部の前記洗い場の側を除く周辺部から前記中央部のリム部よりも下方まで延在した側壁と、前記側壁に設けられ前記壁パネルを載置する第２の壁載せ部と、を有し、
前記複数の壁パネルは、前記第１の壁載せ部と前記第２の壁載せ部とにわたって載置されることを特徴とする浴室ユニット。
【請求項２】
前記側壁に取り付けられ前記第２の壁載せ部に連続する第３の壁載せ部が上面に形成された壁載せピースをさらに備え、
前記浴槽は、前記洗い場からみたときの左右に形成された空間であって前記側壁および前記第２の壁載せ部が設けられずバスエプロンの左右端部を収容可能な空間を有し、
前記複数の壁パネルは、前記第１の壁載せ部と前記第２の壁載せ部と前記第３の壁載せ部とにわたって載置されることを特徴とする請求項１記載の浴室ユニット。
【請求項３】
前記側壁の下方の領域から前記第２の壁載せ部の前記洗い場の側の領域までを覆い前記第２の壁載せ部に連続する第３の壁載せ部が上面に形成された内壁パネルをさらに備え、
前記浴槽は、前記洗い場からみたときの左右に形成された空間であって前記側壁および前記第２の壁載せ部が設けられずバスエプロンの左右端部を収容可能な空間を有し、
前記複数の壁パネルは、前記第１の壁載せ部と前記第２の壁載せ部と前記第３の壁載せ部とにわたって載置されることを特徴とする請求項１記載の浴室ユニット。
【請求項４】
前記バスエプロンの端部は、前記リム部と前記第３の壁載せ部との間の前記空間と、前記壁パネルと、の間に挿入され前記リム部の下方を封止してなることを特徴とする請求項２または３に記載の浴室ユニット。
【発明の詳細な説明】
【技術分野】
【０００１】
本発明の態様は、一般的に、浴室ユニットに関する。
【背景技術】
【０００２】
浴槽の短軸方向のフランジ部を受ける真直ぐな棒状の一対の短い受け部材と、浴槽の長手方向のフランジ部を受ける真直ぐな棒状の長い受け部材と、を備えた浴槽受け部材がある（特許文献１）。特許文献１に記載された浴槽のフランジ部は、真直ぐに形成されている。また、浴槽のフランジ部の高さの浴室位置に設けられた受け部材には、側壁パネルを載せるための壁載せ部が形成されている。
【０００３】
一方、浴槽の長辺側のリム部の両端部を中央部よりも高くすると、浴室ユニットの意匠性を高めることができる。本発明者の検討の結果、浴槽の長辺側のリム部を傾斜させたり、湾曲させたり、弓形状にしたり、階段状にしたりすることで、浴槽のリム部に高低差を設けることは可能である。このように浴槽のリム部に高低差が設けられた高意匠な浴室ユニットにおいては、浴槽の周辺も意匠性を高めることがより望ましい。
【０００４】
しかし、リム部に高低差が設けられた浴槽において、例えば特許文献１に記載された浴槽受け部材のように、浴槽のリム部に壁載せ部を形成すると、浴室ユニットの意匠性が損なわれる。すなわち、浴槽のリム部の一部が相対的に他の部分よりも低くなっているため、壁載せ部と壁パネルとの接合部がリム部よりも高い位置に配置されたり、あるいは壁パネルの下端部が露出し、浴室ユニットの意匠性が損なわれる。
【先行技術文献】
【特許文献】
【０００５】
【特許文献１】特開２０１０−２７３９３２号公報
【発明の概要】
【発明が解決しようとする課題】
【０００６】
本発明は、かかる課題の認識に基づいてなされたものであり、浴槽の周りの意匠性が損なわれることを抑えることができる浴室ユニットを提供することを目的とする。
【課題を解決するための手段】
【０００７】
第１の発明は、洗い場と、前記洗い場に隣接して設置される浴槽と、前記洗い場および前記浴槽の周囲に設置される複数の壁パネルと、を備え、前記洗い場は、前記浴槽の側を除く周辺部に設けられ前記壁パネルを載置する第１の壁載せ部を有し、前記浴槽は、前記洗い場からみたときの左右の少なくともいずれかの端部が中央部よりも高いリム部と、前記リム部の前記洗い場の側を除く周辺部から前記中央部のリム部よりも下方まで延在した側壁と、前記側壁に設けられ前記壁パネルを載置する第２の壁載せ部と、を有し、前記複数の壁パネルは、前記第１の壁載せ部と前記第２の壁載せ部とにわたって載置されることを特徴とする浴室ユニットである。
【０００８】
この浴室ユニットによれば、第２の壁載せ部は、リム部の中央部よりも低い位置に設置される。そのため、第２の壁載せ部と壁パネルとの接合部がリム部よりも高い位置に配置されることを抑えることができる。また、壁パネルの下端部が露出することを抑えることができる。これにより、浴槽の周りの意匠性が損なわれることを抑えることができる。
【０００９】
第２の発明は、第１の発明において、前記側壁に取り付けられ前記第２の壁載せ部に連続する第３の壁載せ部が上面に形成された壁載せピースをさらに備え、前記浴槽は、前記洗い場からみたときの左右に形成された空間であって前記側壁および前記第２の壁載せ部が設けられずバスエプロンの左右端部を収容可能な空間を有し、前記複数の壁パネルは、前記第１の壁載せ部と前記第２の壁載せ部と前記第３の壁載せ部とにわたって載置されることを特徴とする浴室ユニットである。
【００１０】
この浴室ユニットによれば、第３の壁載せ部は、浴槽の成型後に取り付けられる壁載せピースにより形成される。そのため、浴槽をより簡易な形状とすることができる。
【００１１】
第３の発明は、第１の発明において、前記側壁の下方の領域から前記第２の壁載せ部の前記洗い場の側の領域までを覆い前記第２の壁載せ部に連続する第３の壁載せ部が上面に形成された内壁パネルをさらに備え、前記浴槽は、前記洗い場からみたときの左右に形成された空間であって前記側壁および前記第２の壁載せ部が設けられずバスエプロンの左右端部を収容可能な空間を有し、前記複数の壁パネルは、前記第１の壁載せ部と前記第２の壁載せ部と前記第３の壁載せ部とにわたって載置されることを特徴とする浴室ユニットである。
【００１２】
この浴室によれば、第３の壁載せ部は、浴槽の成型後に取り付けられる内壁パネルにより形成される。そのため、浴槽をより簡易な形状とすることができる。
【００１３】
第４の発明は、第２または第３の発明において、前記バスエプロンの端部は、前記リム部と前記第３の壁載せ部との間の前記空間と、前記壁パネルと、の間に挿入され前記リム部の下方を封止してなることを特徴とする浴室ユニットである。
【００１４】
この浴室ユニットによれば、リム部と第３の壁載せ部との間の空間と、壁パネルと、の間から水が浸入した場合でも、バスエプロンは、水がリム部の下方へ侵入することを防ぐことができる。そのため、浴室ユニットの内部を確実に止水することができる。
【発明の効果】
【００１５】
本発明の態様によれば、浴槽の周りの意匠性が損なわれることを抑えることができる浴室ユニットが提供される。
【図面の簡単な説明】
【００１６】
【図１】本発明の実施の形態にかかる浴室ユニットを表す模式的斜視図である。
【図２】本実施形態の浴槽を表す模式的平面図である。
【図３】本実施形態の浴槽を表す模式的斜視図である。
【図４】本実施形態の浴槽を表す模式的断面図である。
【図５】図１に表した切断面Ｂ−Ｂにおける模式的断面図である。
【図６】本実施形態の浴槽の長辺側リム部の端部を拡大して眺めた模式的斜視図である。
【図７】本実施形態の浴槽の長辺側リム部の端部を拡大して眺めた模式的斜視図である。
【図８】本実施形態の浴槽の長辺側リム部の端部を拡大して眺めた模式的斜視図である。
【図９】本実施形態の浴槽の長辺側リム部の端部を拡大して眺めた模式的斜視図である。
【図１０】本実施形態の他の第３の壁載せ部を説明するための模式的斜視図である。
【図１１】本実施形態の他の第３の壁載せ部を説明するための模式的斜視図である。
【発明を実施するための形態】
【００１７】
以下、本発明の実施の形態について図面を参照しつつ説明する。なお、各図面中、同様の構成要素には同一の符号を付して詳細な説明は適宜省略する。  
図１は、本発明の実施の形態にかかる浴室ユニットを表す模式的斜視図である。
【００１８】
本実施形態にかかる浴室ユニット１０は、架台１００と、洗い場床（洗い場）２００と、浴槽３００と、バスエプロン４００と、壁パネル５００と、を備える。  
架台１００は、下部に設けられた支持脚１１０を有し、図示しない建物床の上に載置されている。洗い場床２００は、架台１００の上に設置されている。バスエプロン４００は、洗い場床２００と浴槽３００との間に設置され、浴槽３００の側面を覆っている。つまり、バスエプロン４００は、洗い場床２００と浴槽３００との間に形成される開口を塞ぐように取り付けられている。
【００１９】
本実施形態にかかる浴室ユニット１０には、複数の壁パネル５００が設けられている。具体的には、壁パネル５００は、浴槽３００の洗い場床２００の側を除くリム部３１０の外周部（周辺部）に設置されている。また、壁パネル５００は、洗い場床２００の浴槽３００の側を除く外周部（周辺部）に設置されている。なお、壁パネル５００の設置数は、図１に表した壁パネル５００の設置数だけに限定されるわけではない。なお、説明の便宜上、図１に表した浴室ユニット１０では、洗い場床２００の周辺部に設けられた壁パネル５００の一部を省略している。
【００２０】
浴槽３００は、架台１００の上に設置され、洗い場床２００の側方に隣接するように配置されている。浴槽３００は、上方からみたときに略矩形状の外観を有する樹脂成形品であって、短辺側リム部３１０ａおよび長辺側リム部３１０ｂを有する。図１に表したように、長辺側リム部３１０ｂのうちの１つは、洗い場床２００に隣接するように配置されている。
【００２１】
図２は、本実施形態の浴槽を表す模式的平面図である。  
図３は、本実施形態の浴槽を表す模式的斜視図である。  
図４は、本実施形態の浴槽を表す模式的断面図である。  
なお、図２は、図１に表した矢印Ａ１のように、長辺側リム部３１０ｂの周辺部に設けられた壁パネル５００の側から眺めた浴槽３００の模式的平面図である。図３は、長辺側リム部３１０ｂの周辺部に設けられた壁パネル５００の側の斜め上方から眺めた模式的斜視図である。図４は、図２に表した切断面Ａ−Ａにおける模式的断面図である。
【００２２】
図２および図３に表したように、浴槽３００の長辺側リム部３１０ｂの両側の端部３１２ｂは、浴槽３００の長辺側リム部３１０ｂの中央部３１１ｂよりも高い。具体的には、浴槽３００の長辺側リム部３１０ｂは、両側の端部３１２ｂが中央部３１１ｂよりも高い弓形の形状を有する。但し、浴槽３００の長辺側リム部３１０ｂの形状は、これだけに限定されるわけではない。例えば、浴槽３００の長辺側リム部３１０ｂは、両側の端部３１２ｂが中央部３１１ｂよりも高い傾斜部や湾曲部や段差部などを有していてもよい。あるいは、長辺側リム部３１０ｂの両側の端部３１２ｂではなく、長辺側リム部３１０ｂの左右のいずれか一方の端部３１２ｂが、中央部３１１ｂよりも高くともよい。
【００２３】
これによれば、浴槽３００の長辺側リム部３１０ｂの左右の少なくとも一方の端部３１２ｂをヘッドレストとして利用することができる。また、浴槽３００の長辺側リム部３１０ｂに設けられたシール部に溜まった水は、浴槽３００の長辺側リム部３１０ｂの中央部３１１ｂに集まり浴槽３００内に戻りやすい。そのため、水が浴槽３００のコーナー部に残り難い。これにより、浴室ユニット１０の清掃の手間を軽減することができる。
【００２４】
なお、浴槽３００のリム部３１０の構造については、長辺側リム部３１０ｂの周辺部に設けられた壁パネル５００の側から眺めた場合を例に挙げて説明したが、リム部３１０の構造は、洗い場床２００の側から眺めた場合についても前述した如くである。
【００２５】
ここで、長辺側リム部３１０ｂに高低差が設けられた浴槽３００において、壁パネル５００を設置可能な壁載せ部をリム部３１０に形成すると、浴室ユニット１０の意匠性が損なわれることがある。すなわち、長辺側リム部３１０ｂの中央部３１１ｂが長辺側リム部３１０ｂの両側の端部３１２ｂよりも低いため、壁載せ部と壁パネル５００との接合部がリム部３１０よりも高い位置に配置されたり、あるいは壁パネル５００の下端部が露出し、浴室ユニット１０の意匠性が損なわれることがある。
【００２６】
これに対して、図３および図４に表したように、本実施形態の浴槽３００は、リム部３１０の洗い場床２００の側を除く周辺部から長辺側リム部３１０ｂの中央部３１１ｂよりも下方まで延在する側壁３１４を有する。浴槽３００の側壁３１４には、壁パネル５００を載置可能な第２の壁載せ部３２０が設けられている。第２の壁載せ部３２０には、壁パネル５００が載置される載置面３２０ａよりも外周側に水返し３２０ｂが設けられている。
【００２７】
これによれば、第２の壁載せ部３２０は、長辺側リム部３１０ｂの中央部３１１ｂよりも低い位置に設置される。そのため、第２の壁載せ部３２０と壁パネル５００との接合部がリム部３１０よりも高い位置に配置されることを抑えることができる。また、壁パネル５００の下端部が露出することを抑えることができる。これにより、浴槽３００の周りの意匠性が損なわれることを抑えることができる。
【００２８】
図５は、図１に表した切断面Ｂ−Ｂにおける模式的断面図である。  
図５に表したように、洗い場床２００の浴槽３００の側を除く周辺部には、壁パネル５００を載置可能な第１の壁載せ部２１０が設けられている。第１の壁載せ部２１０は、例えば切断面Ｂ−Ｂの断面視において壁パネル５００が載置される載置面２１０ａよりも外周側に水返し２１０ｂが設けられた凹形状を呈し、壁パネル５００を受けることができる。
【００２９】
壁パネル５００が第１の壁載せ部２１０に立設した状態において、第１の壁載せ部２１０と壁パネル５００との間の隙間には、防水のためのコーキングＣＫが設けられている。コーキングＣＫは、浴室ユニット１０の内部の水が壁パネル５００の裏面側に回りこむことを防いでいる。コーキングＣＫは、例えばシリコーンなどである。この場合、シリコーンは、壁パネル５００と壁載せ部２１０の浴室ユニット１０内側の側部とを接着する。
【００３０】
図６は、本実施形態の浴槽の長辺側リム部の端部を拡大して眺めた模式的斜視図である。  
なお、図６は、図１に表したコーナー部Ｃ１を矢印Ａ２の方向の斜め上方から眺めた模式的斜視図である。
【００３１】
図６に表したように、浴室ユニット１０の意匠性を高めるために、浴槽３００の長辺側リム部３１０ｂの近傍（バスエプロン４００の上端部の近傍）においては、浴槽３００の洗い場床２００の側の面（前面）３１７とバスエプロン４００の洗い場床２００の側の面（前面）４０１とを略同一面に合わせることがより好ましい。また、浴室ユニット１０の意匠性を高めるために、浴槽３００の長辺側リム部３１０ｂの端部３１２ｂにおいては、浴槽３００の側壁３１４とバスエプロン４００の側面４０３とを略同一面に合わせることがより好ましい。
【００３２】
そこで、本実施形態の浴槽３００は、浴槽３００の側壁３１４が設けられていない切り欠き３１９（空間）（図７（ａ）〜図８（ｂ）参照）を有する。切り欠き３１９は、バスエプロン４００の左右の端部４０５を収容することができる。浴槽３００が有する切り欠き３１９にバスエプロン４００を収容することで、バスエプロン４００の上端部の近傍において、浴槽３００の前面３１７とバスエプロン４００の前面４０１とを略同一面に合わせることができる。また、浴槽３００の長辺側リム部３１０ｂの端部３１２ｂにおいて、浴槽３００の側壁３１４とバスエプロン４００の側面４０３とを略同一面に合わせることができる。
【００３３】
この場合において、上下方向にみたときに、第２の壁載せ部３２０が切り欠き３１９に略重複するように設けられていると、切り欠き３１９を成型できないことがある。言い換えれば、本実施形態の浴槽３００を成型する上で、切り欠き３１９の下方に第２の壁載せ部３２０を形成することができないことがある。そのため、第２の壁載せ部３２０は、切り欠き３１９の下方には設けられていない。  
一方で、壁パネル５００をより安定して設置するためには、第２の壁載せ部３２０は、浴槽３００の全周において略同じ高さで設けられていることがより好ましい。
【００３４】
これに対して、本実施形態の浴槽３００の側壁３１４には、壁載せピース３３０が取り付けられている。洗い場床２００の側から浴槽３００をみたときに、壁載せピース３３０は、浴槽３００の左右両側の側壁３１４の洗い場床２００の側に取り付けられている。  
以下、切り欠き３１９および壁載せピース３３０について、図面を参照しつつさらに説明する。
【００３５】
図７〜図９は、本実施形態の浴槽の長辺側リム部の端部を拡大して眺めた模式的斜視図である。  
なお、図７および図９は、図１に表したコーナー部Ｃ１を矢印Ａ２の方向の斜め上方から眺めた模式的斜視図である。図８は、図１に表したコーナー部Ｃ１を矢印Ａ３の方向の斜め下方から眺めた模式的斜視図である。  
図７（ａ）、図８（ａ）、および図９（ａ）は、壁載せピースが取り付けられる前の浴槽の状態を表している。図７（ｂ）、図８（ｂ）、および図９（ｂ）は、壁載せピースが取り付けられた後の浴槽の状態を表している。
【００３６】
図７（ａ）〜図８（ｂ）に表したように、洗い場床２００の側から浴槽３００をみたときに、浴槽３００の長辺側リム部３１０ｂの左右両側に切り欠き３１９が設けられている。図６に関して前述したように、浴槽３００の成型上、第２の壁載せ部３２０は、切り欠き３１９の下方には設けられていない。一方で、第２の壁載せ部３２０は、浴槽３００の全周において略同じ高さで設けられていることがより好ましい。
【００３７】
これに対して、図７（ｂ）、図８（ｂ）、および図９（ｂ）に表したように、本実施形態の浴槽３００の側壁３１４には、壁載せピース３３０が取り付けられている。図９（ｂ）に表したように、壁載せピース３３０は、壁パネル５００が載置される載置面３３０ａと、載置面３３０ａよりも外周側に形成された水返し３３０ｂと、を有する。壁載せピース３３０は、例えばねじなどの締結部材３３９により浴槽３００の側壁３１４に固定されている。具体的には、図７（ａ）および図９（ａ）に表したように、第２の壁載せ部３２０の近傍には、孔３２９が設けられている。そして、壁載せピース３３０を所定位置に設置し、ねじなどの締結部材３３９を孔３２９に締結することで壁載せピース３３０を浴槽３００の側壁３１４に固定することができる。なお、壁載せピース３３０の固定方法は、これだけに限定されず、例えば接着剤による接合などであってもよい。
【００３８】
図９（ｂ）に表したように、壁載せピース３３０の上面には、第３の壁載せ部３３１が形成されている。壁載せピース３３０が浴槽３００の側壁３１４に取り付けられた状態では、第３の壁載せ部３３１は、第２の壁載せ部３２０と略連続している。言い換えれば、第３の壁載せ部３３１の載置面３３０ａの高さは、第２の壁載せ部３２０の載置面３２０ａと略同じ高さである。そして、本実施形態の壁パネル５００は、第１の壁載せ部２１０と、第２の壁載せ部３２０と、第３の壁載せ部３３１と、にわたって載置されている。
【００３９】
これによれば、第３の壁載せ部３３１は、浴槽３００の成型後に取り付けられる壁載せピース３３０により形成される。そのため、浴槽３００をより簡易な形状とすることができる。また、浴槽３００の前面３１７とバスエプロン４００の前面４０１とを略同一面に合わせることができる、あるいは、浴槽３００の側壁３１４とバスエプロン４００の側面４０３とを略同一面に合わせることができる。そのため、浴室ユニット１０の意匠性を高めることができる。
【００４０】
また、図６に表したように、バスエプロン４００の左右の端部４０５は、リム部３１０と壁載せピース３３０（具体的には第３の壁載せ部３３１）との間の切り欠き３１９と、壁パネル５００と、の間に挿入されリム部３１０の下方を封止している。ここで、本願明細書において「封止」という範囲には、止水あるいは水密という意味が含まれるものとする。これにより、切り欠き３１９と壁パネル５００との間から水が浸入した場合でも、バスエプロン４００は、水がリム部３１０の下方へ侵入することを防ぐことができる。そのため、浴室ユニット１０の内部を確実に止水することができる。
【００４１】
次に、本実施形態の他の第３の壁載せ部について、図面を参照しつつ説明する。  
図１０および図１１は、本実施形態の他の第３の壁載せ部を説明するための模式的斜視図である。  
なお、図１０は、図１に表したコーナー部Ｃ１を矢印Ａ２の方向の斜め上方から眺めた模式的斜視図である。図１１は、図１に表したコーナー部Ｃ１を矢印Ａ３の方向の斜め下方から眺めた模式的斜視図である。
【００４２】
本実施形態では、図６および図７（ａ）〜図８（ｂ）に関して前述したように、洗い場床２００の側から浴槽３００をみたときに、浴槽３００の長辺側リム部３１０ｂの左右両側に切り欠き３１９が設けられている。また、浴槽３００の側壁３１４の下方には、内壁パネル５１０が設けられている。なお、本実施形態では、図６〜図９に関して前述した壁載せピース３３０は、設けられていない。
【００４３】
図１０および図１１に表したように、内壁パネル５１０は、浴槽３００の側壁３１４の下方領域から第２の壁載せ部３２０の洗い場床２００の側の領域までを覆う。図１に表したように、バスエプロン４００の下部がバスエプロン４００の上部よりも浴槽３００の側に配置されている場合には、内壁パネル５１０がバスエプロン４００の下部の両側に見えることがある。例えば、内壁パネル５１０は、浴槽３００の周辺部および洗い場床２００の周辺部に設置される壁パネル５００と同じ材料により形成されている。これにより、壁パネル５００と内壁パネル５１０とを略同じ見栄えとすることができ、浴室ユニット１０の意匠性を高めることができる。なお、内壁パネル５１０がバスエプロン４００の下部の両側に見えない場合には、内壁パネル５１０は、必ずしも壁パネル５００と同じ材料により形成されていなくともよい。
【００４４】
内壁パネル５１０の上面には、第３の壁載せ部５１１が形成されている。内壁パネル５１０が浴槽３００の側壁３１４の下方に設けられた状態では、第３の壁載せ部５１１は、第２の壁載せ部３２０と略連続している。言い換えれば、第３の壁載せ部５１１の上面の高さは、第２の壁載せ部３２０の上面と略同じ高さである。そして、本実施形態の壁パネル５００は、第１の壁載せ部２１０と、第２の壁載せ部３２０と、第３の壁載せ部３３１と、にわたって載置されている。
【００４５】
これによれば、第３の壁載せ部５１１は、浴槽３００の成型後に取り付けられる内壁パネル５１０により形成される。そのため、浴槽３００をより簡易な形状とすることができる。また、浴槽３００の前面３１７とバスエプロン４００の前面４０１とを略同一面に合わせることができる、あるいは、浴槽３００の側壁３１４とバスエプロン４００の側面４０３とを略同一面に合わせることができる。そのため、浴室ユニット１０の意匠性を高めることができる。
【００４６】
また、図７〜図９に関して前述したバスエプロン４００と同様に、バスエプロン４００の左右の端部４０５は、リム部３１０と壁載せピース３３０（具体的には第３の壁載せ部３３１）との間の切り欠き３１９と、壁パネル５００と、の間に挿入され封止している。これにより、浴室ユニット１０の内部を確実に止水することができる。また、本実施形態では、内壁パネル５１０の上端部と、浴槽３００の側壁３１４の下端部および壁パネル５００の下端部と、の間に例えばシリコーンなどのコーキングＣＫが設けられている。これにより、浴室ユニット１０の内部をより確実に止水することができる。
【００４７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽３００、洗い場床２００、およびバスエプロン４００などが備える各要素の形状、寸法、材質、配置などや壁載せピース３３０、内壁パネル５１０、および壁パネル５００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１０ 浴室ユニット、  １００ 架台、  １１０ 支持脚、  ２００ 洗い場床、  ２１０ 第１の壁載せ部、  ２１０ａ 載置面、  ２１０ｂ 水返し、  ３００ 浴槽、  ３１０ リム部、  ３１０ａ 短辺側リム部、  ３１０ｂ 長辺側リム部、  ３１１ｂ 中央部、  ３１２ｂ 端部、  ３１４ 側壁、  ３１７ 前面、  ３１９ 切り欠き、  ３２０ 第２の壁載せ部、  ３２０ａ 載置面、  ３２０ｂ 水返し、  ３２９ 孔、  ３３０ 壁載せピース、  ３３０ａ 載置面、  ３３０ｂ 水返し、  ３３１ 第３の壁載せ部、  ３３９ 締結部材、  ４００ バスエプロン、  ４０１ 前面、  ４０３ 側面、  ４０５ 端部、  ５００ 壁パネル、  ５１０ 内壁パネル、  ５１１ 第３の壁載せ部
【図１】
2013248153.tif 000003
【図２】
2013248153.tif 000004
【図３】
2013248153.tif 000005
【図４】
2013248153.tif 000006
【図５】
2013248153.tif 000007
【図６】
2013248153.tif 000008
【図７】
2013248153.tif 000009
【図８】
2013248153.tif 000010
【図９】
2013248153.tif 000011
【図１０】
2013248153.tif 000012
【図１１】
2013248153.tif 000013